(57)【要約】【要  約】【課  題】  任意の方向へ指向性を変更して、容易に最大感度の方向を選択することが出来る従来知られているダイバーシティアンテナは、薄型テレビには設置スペースの関係で設置することが難しい。そして、無理やり設置したとしても、受像機天板から上方に突出していて、薄型テレビのスッキリとした外観を損なう惧れがあり、今一歩工夫が必要と考えられる。【解決手段】  本発明は、テレビ受像機本体を下方から支持する支持体の例えば櫛歯状体を利用して、外部から供給する制御信号によって反射と導波の特性切り替えが可能な少なくとも１本の無給電素子とそれと並行に配された給電素子とからなるアレーアンテナを水平状態に設置したことを特徴とする。【選択図】        図１
2005244885.tif 000002
【特許請求の範囲】
【請求項１】
テレビ受像機本体を下方から支持する支持体に、水平状態にアレーアンテナを設けたことを特徴とするテレビ受像機。
【請求項２】
前記アレーアンテナは、可変リアクタンス素子が装荷された少なくとも１つの無給電素子と、１つの給電素子と、からなる請求項１に載のアレーアンテナ装置。
【請求項３】
前記アレーアンテナは、前記１つの給電素子に対して前記少なくとも１つの無給電素子を平行に配置したことを特徴とする請求項２に記載のアレーアンテナ装置。
【請求項４】
前記アレーアンテナは、前記可変リアクタンス素子が装荷された２つ以上の無給電素子を、前記１つの給電素子の両側に且つ該給電素子に平行に配置したことを特徴とする請求項３に記載のアレーアンテナ装置。
【請求項５】
前記給電素子は長尺状の金属フィルムからなり、前記無給電素子は長尺状の金属フィルムと可変リアクタンス素子とを直列接続した構成である請求項２乃至４に記載のアレーアンテナ装置。
【請求項６】
上記支持体は、テレビ受像機本体の下方に水平状態に設けられた櫛歯状体を含み、この櫛歯状体を構成する複数本の歯に給電素子と無給電素子とを分配して埋設若しくは添設したことを特徴とする請求項１乃至４に記載のテレビ受像機。
【請求項７】
上記支持体は、テレビ受像機本体の下方に水平状態に設けられた平板状体を含み、この平板状体に給電素子と無給電素子とを埋設若しくは添設したことを特徴とする請求項１乃至４に記載のテレビ受像機。
【発明の詳細な説明】
【技術分野】
【０００１】
本発明は、テレビ受像機、特に、アレーアンテナを備えたテレビ受像機に関する。
【背景技術】
【０００２】
近年、テレビ受像機は軽量化、薄型化してきており、画面サイズの比較的大きなものでも、携帯型として、屋外での使用や、屋内においても部屋から部屋へ手軽に移動されるといった使用がなされている。
このような使用形態においては、移動されるどの場所においても、放送の受信が出来るように受信アンテナを工夫する必要がある。この場合、従来の室内アンテナに見られたように、アンテナ自体を移動、回転等して受信感度の調整を行うことも出来るが、そのような室内アンテナでは受像機の移動に際して、邪魔になるし、受信周波数帯がUHFといった高周波帯での微妙な調整作業には適当でないといえる。
【０００３】
そこで、任意の方向へ指向性を変更して、容易に最大感度の方向を選択することが出来るダイバーシティアンテナを採用することが考えられる。
ダイバーシティアンテナとしては、特許文献１、特許文献２に記載のものが知られている。
【特許文献１】特開２００２−１１８４１４号公報
【特許文献２】特許第３４３９７２３号公報
【発明の開示】
【発明が解決しようとする課題】
【０００４】
放送電波は水平偏波であるので、平面型アンテナは水平に配置されなければならない。しかしながら、上記特許文献に記載のダイバーシティアンテナは、薄型テレビには設置スペースの関係で設置することが難しいといえる。そして、無理やり設置したとしても、受像機天板から上方に突出していて、薄型テレビのスッキリとした外観を損なう惧れがあり、今一歩工夫が必要と考えられる。
【０００５】
本発明は、上記課題に鑑みて外観を損なうことなく、且つ、容易に受信感度の高い方向を選択することが出来る新規なアンテナを備えたテレビ受像機を提供することを目的とする。
【課題を解決するための手段】
【０００６】
上記課題を解決するために、本発明は、テレビ受像機本体を下方から支持する支持体に、水平状態にアレーアンテナを設けたことを特徴とする。
また、前記アレーアンテナは、可変リアクタンス素子が装荷された少なくとも１つの無給電素子と、１つの給電素子と、からなることを特徴とする。
【０００７】
また、前記アレーアンテナは、前記１つの給電素子に対して前記少なくとも１つの無給電素子を平行に配置したことを特徴とする。
また、前記アレーアンテナは、前記可変リアクタンス素子が装荷された２つ以上の無給電素子を、前記１つの給電素子の両側に且つ該給電素子に平行に配置したことを特徴とする。
【０００８】
また、前記給電素子は長尺状の金属フィルムからなり、前記無給電素子は長尺状の金属フィルムと可変リアクタンス素子とを直列接続した構成であることを特徴とする。
また、上記支持体は、テレビ受像機本体の下方に水平状態に設けられた櫛歯状体を含み、この櫛歯状体を構成する複数本の歯に給電素子と無給電素子とを分配して埋設若しくは添設したことを特徴とする。
【０００９】
さらに、上記支持体は、テレビ受像機本体の下方に水平状態に設けられた平板状体を含み、この平板状体に給電素子と無給電素子とを埋設若しくは添設したことを特徴とする。
【発明の効果】
【００１０】
本発明によれば、テレビ受像機本体を支持する支持体にアレーアンテナを設けたので、特別にアンテナを取付けるためのスペースを設ける必要が無く、従ってテレビ全体の外観を損ねることもない。また、テレビを移動させてもアレーアンテナによって、最適受信状態に設定することができる。さらには、アレーアンテナを支持体に設けているため、液晶テレビや、プラズマディスプレイを用いたテレビなどの薄型テレビに用いることができる実用性の極めて高いものである。
【発明を実施するための最良の形態】
【００１１】
以下本発明の実施の形態を、図面を参照しながら説明する。
第１図において、図1は、本発明の1実施例におけるテレビ受像機の斜視図である。このテレビ受像機は、例えば液晶パネル等の平面型ディスプレイを主体とした構成のテレビ受像機本体１と、本体１の内部チューナ部と接続されたアンテナを備えた支持体２とからなる。
【００１２】
テレビ受像機本体１は、薄型の例えば液晶ディスプレイを主体として構成されており、図示はしないが、チューナ部、映像信号処理部、音声信号処理部、ディスプレイ表示駆動部といった公知の受像回路が設けられている。本体１前面の表示画面４の下部には音声スピーカ３が配されている。
支持体２には本体１から下方に伸びる支柱５とこの支柱５の下端に水平状態に設けられた櫛歯状体６とよりなる。この櫛歯状体６にアンテナ素子を設けることが本発明の特徴であるが、まず、アンテナの基本構成について図２を用いて説明する。
【００１３】
図２に示すようにアレーアンテナは、中央に給電素子７、その両側に無給電素子８，９を平行に配した構成をしている。給電素子７、無給電素子８，９とも、長尺状金属フィルムからなっていて、誘電体基板１０の中に埋め込まれて一枚の平板となっている。無給電素子８，９は中央部分で分割され、その間に可変容量ダイオードなどの可変リアクタンス素子１１、１２が設けられている。素子７，８，９の長さは2分のλ（λは受信波長）又は４分のλであり、いま、ＵＨＦの周波数を６００ＭＨｚとして考えると、λは約５０ｃｍとなり、素子の長さは２５ｃｍ又は１２．５ｃｍである。素子７と素子８，９との間隔は０．１λ〜０．３５λであり、５ｃｍ〜１７．５ｃｍとなる。給電素子７には同軸ケーブル１３が接続され、この同軸ケーブル１３はテレビ受像機本体１のチューナに接続される。可変リアクタンス素子１１，１２の一端には直流アース用のリード端子１４，１５が接続され、他端には制御電圧が供給される端子１６、１７が接続されている。
【００１４】
制御電圧により、容量を調整することにより、無給電振素子８，９の等価的な電気長が変わり、無給電素子８，９の特性を導波器に、あるいは反射器にと切り替える。例えば、無給電素子８の等価的な電気長を長くして、反射器の特性を持たせ、無給電素子９の等価的な電気長を短くして、導波器の特性を持たせたとすると、アレーアンテナは、給電素子７を基準として無給電素子９を向いた方向に指向性を持つこととなる。逆に、無給電素子８の等価的な電気長を短くし、無給電振素子９の等価的な電気長を長くすると、給電素子７を基準として無給電素子８を向いた方向に指向性を持つこととなる。さらに、２つの無給電素子８，９の等価的な電気長を共に短くすると、給電素子７を基準として、２つの無給電素子８．９を向く２つの方向に対して指向性を持つこととなる。
【００１５】
無給電素子８，９が反射器、導波器の特性を備え、それによってンテナが指向性を有するのは、八木アンテナの原理と同一である。
また、無給電素子の装荷リアクタンスを３つ以上の状態もしくは連続的に変化させる構成とすれば、より最適な受信感度となる状態を連続的に選択ことも可能である。
以上、第２図により説明したアレーアンテナを本発明では図１に示すように支持体２に組み込む。薄型テレビであるので上面側にアンテナとしての有効な巾がかせげないが、支持体はテレビの巾より必然的に広いので、そこにアンテナを設ける。即ち、支持体２の櫛歯状体６の３本の平行な歯１８，１９，２０に図２で説明した給電素子７、無給電振素子８，９を設ける。これらの素子７，８，９は歯１８，１９，２０に埋設しても良いし、表面、裏面に貼り付けるなど添設しても良い。同軸ケーブル１３、制御信号用の線は図１には示していないが支柱５を通ってテレビ受像機本体１に導かれる。寸法関係は図２で説明した長さとなるよう櫛歯状体２を構成する。
【００１６】
櫛歯状体６は水平状態に置かれるので給電素子７、無給電素子８，９も水平状態に維持されることになり、水平偏波であるテレビ電波の受信が可能となる。
可変リアクタンス素子１１，１２に制御電圧を与えて、指向性を変化させ、受信感度の高いビームパターンを選択（指向性ダイバーシティ受信）し、また、操作者の指示に従って選局動作を行う。このようにしてテレビ受像機設置位置において、最適感度での受信を行うことができる。
【００１７】
給電素子７、無給電素子８，９はテレビジョン受像機本体１の下方に水平姿勢で設けられているので、アンテナの感度が落ちるとの危惧もあるが、最近の家屋、ビルにおいては、必ずしも上方ほど受信感度が高いとは言えず、むしろ、反射波が下方ほど少ない場合もあり、その場合は、この形態での実施は有効である。本発明は、アンテナは高いところに設置するという常識を覆して発想の転換を図った画期的なものである。
【００１８】
上記実施の形態以外に本発明の思想の範囲において改変実施できることはもちろんである。したがって、例えば図３に示すように、櫛歯状体の替わりに平板状体２１を支持体２に設け、給電素子７、無給電素子８，９を平面状体に２１に埋設、又は表面又は裏面に貼り付けるなど添設する。また、図２に示す平板アンテナをそのまま。平板状体２１の中に挿入するようにしても良い。
【００１９】
支持体２には特に支柱５は無くてもよく直接テレビ受像機本体１が櫛歯状体６、平板状体２１に支持される構成でも良い。
アレーアンテナは、図示例では2本の無給電素子と、1本の給電素子のものを示したが、これに限らず、3本以上の無給電素子と１本の給電素子とを備えた構成、あるいは、感度をそれほど要求しないのであれば無給電素子１本と給電素子１本とを設けた構成でも良い。あるいは、上記無給電素子１本と給電素子１本に可変リアクタンス素子の無い単なる反射器、あるいは導波器を備えた構成のものでもよい。
【００２０】
さらには、図２の平板アレーアンテナはこれに限られるものではなく、例えば誘電体基板の半分に接地導体を設け、誘電体を介して前記接地導体と対向して３本の長尺の金属フィルムを平行して設ける。これらの金属フィルムは接地導体より突き出ており、突き出た部分が給電素子、無給電素子となる。給電素子を真ん中にして無給電素子を両脇に配置する。可変リアクタンス素子は接地導体と対抗する金属フィルムの端部に接続する。接地導体と金属フィルムによってマイクロストリップ線路が形成される。このような構成のものも図３の平板状体２１にそのまま挿入して使用することができる。また、給電素子、無給電素子を図１の櫛歯状体６に設け、接地導体側を櫛歯状体６の図１の後方延長線上の部分を平板状にして構成すれば実施可能である。
【産業上の利用可能性】
【００２１】
本発明は特に液晶テレビやプラズマディスプレイを用いたテレビなど薄型のテレビに用いて有用である。
【図面の簡単な説明】
【００２２】
【図１】本発明の一実施例におけるテレビ受像機の斜視図である。
【図２】同テレビ受像機に用いる平板アンテナの原理図である。
【図３】同他の実施例におけるテレビ受像機の斜視図である。
【符号の説明】
【００２３】
１：テレビ受像機本体
２：支持体
６：櫛歯状体
７：給電素子
８，９：無給電素子
１１，１２：可変リアクタンス素子
１８，１９，２０：歯
２１：平板状体
【図１】
2005244885.tif 000003
【図２】
2005244885.tif 000004
【図３】
2005244885.tif 000005